(57)【要約】  表示装置（１）は、表示画面に表示するための映像内に含まれる識別用画像を表示画面に表示する場合の識別用画像のサイズ又は識別用画像を構成する構成単位のサイズが、所定の大きさを下回らないように識別用画像を表示画面に表示する表示処理部（１４）を備える。また、表示装置（１）は、映像内の識別用画像が有効でないとき、（ｉ）識別用画像の上に識別用画像に埋め込まれたデータを抽出できないようにするための識別不可能化画像を表示する、（ｉｉ）識別用画像が無効である旨のコーションを表示画面に表示する、又は（ｉｉｉ）識別用画像の代わりに代替の識別用画像を表示する。
2017057196.tif 000002
【特許請求の範囲】
【請求項１】
映像内に含まれている識別用画像を取得する取得部と、
上記識別用画像を表示画面に表示する表示処理部と、
を備え、
上記表示画面に上記映像を全画面表示する場合の上記識別用画像の第１のサイズよりも小さい第２のサイズで上記識別用画像を表示する場合には、当該第２のサイズよりも拡大した識別用画像を上記表示画面に別途表示することを特徴とする表示装置。
【請求項２】
映像内に含まれている識別用画像を取得する取得部と、
上記識別用画像を表示画面に表示する表示処理部と、
を備え、
上記表示画面に上記映像を全画面表示する場合の上記識別用画像の第１のサイズよりも小さい第２のサイズで上記識別用画像を表示する場合には、当該第１のサイズで上記識別用画像を上記表示画面に表示することを特徴とする表示装置。
【請求項３】
表示画面に表示するための映像内に含まれている識別用画像を上記表示画面に表示する場合の上記識別用画像のサイズ又は上記識別用画像を構成する構成単位のサイズが、所定の大きさを下回らないように上記識別用画像を上記表示画面に表示する表示処理部を備えることを特徴とする表示装置。
【請求項４】
上記表示処理部は、上記表示画面に表示するための上記映像内における上記識別用画像の位置に、上記所定の大きさを下回らないように上記識別用画像を表示することを特徴とする請求項３に記載の表示装置。
【請求項５】
上記表示処理部は、上記表示画面内における上記映像を表示する領域の外部に、上記所定の大きさを下回らないように上記識別用画像を表示することを特徴とする請求項３に記載の表示装置。
【請求項６】
上記表示画面に表示するための上記映像内に含まれている上記識別用画像を検出する検出部をさらに備え、
上記表示処理部は、上記検出部が検出した上記識別用画像が上記所定の大きさを下回らないように上記表示画面に表示することを特徴とする請求項３〜５のいずれか１項に記載の表示装置。
【請求項７】
上記検出部は、上記映像を上記表示画面に表示する場合の上記映像のサイズが所定のサイズよりも小さい場合に、当該映像内に含まれている上記識別用画像を検出することを特徴とする請求項６に記載の表示装置。
【請求項８】
上記識別用画像は、ニ次元コードであることを特徴とする請求項３〜７のいずれか１項に記載の表示装置。
【請求項９】
請求項３〜８のいずれか１項に記載の表示装置を備えていることを特徴とするテレビジョン受像機。
【請求項１０】
請求項３〜８のいずれか１項に記載の表示装置としてコンピュータを機能させるためのプログラム。
【請求項１１】
請求項１０に記載のプログラムを記録したコンピュータ読み取り可能な記録媒体。
【請求項１２】
表示画面に表示するための映像内に含まれた、データが埋め込まれた識別用画像が有効でない場合に、上記識別用画像に埋め込まれた上記データを抽出できないようにするための識別不可能化画像を表示する表示処理部を備えることを特徴とする表示装置。
【請求項１３】
表示画面に表示するための映像内に含まれた、データが埋め込まれた識別用画像が有効でない場合に、上記識別用画像が無効である旨を示すコーションを上記表示画面に表示する表示処理部を備えることを特徴とする表示装置。
【請求項１４】
表示画面に表示するための映像内に含まれた、データが埋め込まれた識別用画像が有効でない場合に、上記識別用画像の代わりに代替の識別用画像を表示する表示処理部を備えることを特徴とする表示装置。
【請求項１５】
上記表示処理部は、上記識別不可能化画像を上記識別用画像の上に重畳した上記映像を表示することを特徴とする請求項１２に記載の表示装置。
【請求項１６】
上記表示処理部は、上記識別用画像を上記識別不可能化画像に置き換えた上記映像を表示することを特徴とする請求項１２に記載の表示装置。
【請求項１７】
上記表示処理部は、上記代替の識別用画像を上記識別用画像の上に重畳した上記映像を表示することを特徴とする請求項１４に記載の表示装置。
【請求項１８】
上記表示処理部は、上記識別用画像を上記代替の識別用画像に置き換えた上記映像を表示することを特徴とする請求項１４に記載の表示装置。
【請求項１９】
上記識別用画像は、特定のリンク先を示すリンク先情報を含んでおり、
上記識別用画像に含まれる上記リンク先情報が示すリンク先にアクセスできない場合に、上記識別用画像が有効でないと判定することを特徴とする請求項１２から１８の何れか１項に記載の表示装置。
【請求項２０】
上記識別用画像は、特定のリンク先へのアクセス期限を示すアクセス情報を含んでおり、
上記識別用画像に含まれる上記アクセス情報が示すアクセス期限を過ぎていると判定すると、上記識別用画像が有効でないと判定することを特徴とする請求項１２から１８のいずれか１項に記載の表示装置。
【請求項２１】
上記表示画面に表示するための上記映像が録画された映像である場合に、上記識別用画像が有効でないと判定することを特徴とする請求項１２から１８のいずれか１項に記載の表示装置。
【請求項２２】
上記識別用画像は、特定のリンク先を示すリンク先情報と、当該リンク先のコンテンツの内容に応じたパレンタル情報と、を含んでおり、
上記識別用画像に含まれる上記パレンタル情報が、予めユーザに設定された閲覧条件を満たしていない場合に、上記識別用画像が有効でないと判定することを特徴とする請求項１２から１８のいずれか１項に記載の表示装置。
【請求項２３】
上記表示画面に表示するための上記映像に上記識別用画像が含まれているか否かを検出する検出部と、
上記識別用画像が有効であるか否かを判定する判定部と、を備えることを特徴とする請求項１２から２２の何れか１項に記載の表示装置。
【請求項２４】
上記識別用画像は、ニ次元コードであることを特徴とする請求項１２から２３の何れか１項に記載の表示装置。
【請求項２５】
請求項１２から２４の何れか１項に記載の表示装置を備えていることを特徴とするテレビジョン受像機。
【請求項２６】
請求項１２から２４の何れか１項に記載の表示装置としてコンピュータを機能させるためのプログラム。
【請求項２７】
請求項２６に記載のプログラムを記録したコンピュータ読み取り可能な記録媒体。
【発明の詳細な説明】
【技術分野】
【０００１】
本発明は表示装置、テレビジョン受像機、プログラム及び記録媒体に関し、より詳細には、識別用画像が含まれる映像を表示する表示装置、テレビジョン受像機、プログラム及び記録媒体に関する。
【背景技術】
【０００２】
近年、テレビの放送番組では、ＱＲ（Ｑｕｉｃｋ  Ｒｅｓｐｏｎｃｅ）コード（登録商標）等の二次元コードが使用されることがある。そのような場合、ユーザはテレビの表示画面に表示されたＱＲコード（登録商標）をスマートフォン等で読み取り、ＱＲコード（登録商標）に対応するＵＲＬ（Ｕｎｉｆｏｒｍ  Ｒｅｓｏｕｒｃｅ  Ｌｏｃａｔｏｒ）のサイトにアクセスすれば、放送番組に関する情報又は商品を得ることができる。【０００３】
最近では、このような二次元コードを使用した放送番組を視聴する際の工夫がなされている。例えば、特許文献１には、放送映像から二次元コードを認識して、当該ニ次元コードをＵＲＬに変換し、ＷＥＢブラウザによりＵＲＬにアクセスしてＷＥＢページを表示する表示装置が開示されている。
【先行技術文献】
【特許文献】
【０００４】
【特許文献１】日本国公開特許公報「特開２０１５−３２０３９号公報（２０１５年２月１６日公開）」
【発明の概要】
【発明が解決しようとする課題】
【０００５】
ところで、最近では、放送番組を視聴しながら、同一画面上で別の放送番組を見たいという要望から、子画面を用いて親画面上に他の放送番組の映像を表示したり、二画面表示を用いて２つの放送番組の映像を表示したりする技術が提案されている。そうした場合、表示している映像のいずれかに二次元コード等の識別用画像が含まれていると、子画面表示又は二画面表示に応じて識別用画像も縮小して表示されることになる。【０００６】
特許文献１に開示されているように、表示装置上で識別用画像に対応するＵＲＬにアクセスするのではなく、ユーザのスマートフォン等で識別用画像に対応するＵＲＬにアクセスしたい場合には、縮小して表示された識別用画像をスマートフォン等で読み取る必要がある。しかしながら、縮尺によっては縮小した識別用画像をスマートフォン等で読み込みできなくなってしまうという第１の問題がある。【０００７】
上記第１の問題は、表示パネルのサイズが小さい場合にも起こり得る。表示パネルのサイズが小さいと、表示パネルのサイズに応じて映像を縮小して表示することになるので、縮尺によっては縮小した識別用画像をスマートフォン等で読み込む（識別する）ことができなくなってしまう可能性がある。【０００８】
本発明の第１〜８の態様は、上記第１の問題点に鑑みてなされたものであり、その目的は、映像に含まれる識別用画像をそのまま表示すると、小さく表示されてしまうような場合であっても、問題なく当該識別用画像の識別ができる表示装置、テレビジョン受像機、プログラム及び記録媒体を提供することにある。【０００９】
また、ニ次元コード等の識別用画像によって指定されるＵＲＬのサイトには、一定期間のみ開設されているものがある。そうした場合、放送番組を視聴するタイミングによっては、サイトの有効期限が切れているためにサイトにアクセスできず、ユーザが混乱する可能性があるという第２の問題がある。また、放送番組を視聴するタイミングによっては、表示された識別用画像から得られる情報がもはやユーザにとって無用なことがある。【００１０】
本発明の第９〜１９の態様は、上記第２の問題点に鑑みてなされたものであり、その目的は、映像に含まれる無効な識別用画像によってユーザが混乱するのを防止できる表示装置、テレビジョン受像機、プログラム及び記録媒体を提供することにある。
【課題を解決するための手段】
【００１１】
上記第１の問題点を解決するために、本発明の第１の態様に係る表示装置は、映像内に含まれている識別用画像を取得する取得部と、上記識別用画像を表示画面に表示する表示処理部と、を備え、上記表示画面に上記映像を全画面表示する場合の上記識別用画像の第１のサイズよりも小さい第２のサイズで上記識別用画像を表示する場合には、当該第２のサイズよりも拡大した識別用画像を上記表示画面に別途表示する。【００１２】
また、上記第１の問題点を解決するために、本発明の第２の態様に係る表示装置は、映像内に含まれている識別用画像を取得する取得部と、上記識別用画像を表示画面に表示する表示処理部と、を備え、上記表示画面に上記映像を全画面表示する場合の上記識別用画像の第１のサイズよりも小さい第２のサイズで上記識別用画像を表示する場合には、当該第１のサイズで上記識別用画像を上記表示画面に表示する。【００１３】
また、上記第１の問題点を解決するために、本発明の第３〜８の態様に係る表示装置は、表示画面に表示するための映像内に含まれている識別用画像を上記表示画面に表示する場合の上記識別用画像のサイズ又は上記識別用画像を構成する構成単位のサイズが、所定の大きさを下回らないように上記識別用画像を上記表示画面に表示する表示処理部と、を備える。【００１４】
また、上記第２の問題点を解決するために、本発明の第９、１２〜１９、の態様に係る表示装置は、表示画面に表示するための映像内に含まれた、データが埋め込まれた識別用画像が有効でない場合に、上記識別用画像に埋め込まれた上記データを抽出できないようにするための識別不可能化画像を表示する表示処理部を備える。【００１５】
また、上記第２の問題点を解決するために、本発明の第１０、１４〜１９の態様に係る表示装置は、表示画面に表示するための映像内に含まれた、データが埋め込まれた識別用画像が有効でない場合に、上記識別用画像が無効である旨を示すコーションを上記表示画面に表示する表示処理部を備える。【００１６】
また、上記第２の問題点を解決するために、本発明の第１１、１３〜１９の態様に係る表示装置は、表示画面に表示するための映像内に含まれた、データが埋め込まれた識別用画像が有効でない場合に、上記識別用画像の代わりに代替の識別用画像を表示する表示処理部を備える。
【発明の効果】
【００１７】
本発明の第１〜８の態様によれば、映像に含まれる識別用画像をそのまま表示すると、小さく表示されてしまうような場合であっても、問題なく当該識別用画像を識別することができる。また、本発明の第９〜１９の態様によれば、映像に含まれた無効な識別用画像によってユーザが混乱するのを防止できる。
【図面の簡単な説明】
【００１８】
【図１】本発明の一実施形態に係る表示装置の構成を示すブロック図である。
【図２】本発明の一実施形態に係る表示装置に表示するための映像の一例を示す図である。
【図３】本発明の一実施形態に係る表示装置に映像を表示する場合の表示画面の一表示例を示す図である。
【図４】本発明の一実施形態に係る表示装置において、映像内の識別用画像のサイズ又は識別用画像を構成する構成単位を調整して識別用画像を表示する場合の表示画面の一表示例を示す図である。
【図５】本発明の一実施形態に係る表示装置における処理手順を示すフロー図である。
【図６】本発明の一実施形態に係る表示装置において、映像内の識別用画像のサイズ又は識別用画像を構成する構成単位を調整して識別用画像を表示する場合の表示画面の他の表示例を示す図である。
【図７】本発明の一実施形態に係る表示装置に映像を二画面表示する場合の表示画面の一表示例を示す図である。
【図８】本発明の一実施形態に係る表示装置に映像を子画面表示する場合の表示画面の一表示例を示す図である。
【図９】本発明の一実施形態に係る表示装置において、二画面表示時に映像内の識別用画像のサイズ又は識別用画像を構成する構成単位を調整して識別用画像を表示する場合の表示画面の一表示例を示す図である。
【図１０】本発明の一実施形態に係る表示装置において、二画面表示時に映像内の識別用画像のサイズ又は識別用画像を構成する構成単位を調整して識別用画像を表示する場合の表示画面の他の表示例を示す図である。
【図１１】本発明の一実施形態に係る表示装置において、子画面表示時に映像内の識別用画像のサイズ又は識別用画像を構成する構成単位を調整して識別用画像を表示する場合の表示画面の一表示例を示す図である。
【図１２】本発明の実施形態３に係る表示装置における表示画面の一表示例を示す図である。
【図１３】本発明の実施形態３に係る表示装置の処理手順を示すフロー図である。
【図１４】本発明の実施形態３に係る表示装置における表示画面の一表示例を示す図である。
【図１５】本発明の実施形態４に係る表示装置の表示画面の一表示例を示す図である。
【図１６】本発明の実施形態４に係る表示装置の処理手順を示すフロー図である。
【図１７】本発明の実施形態５に係る表示装置の表示画面の一表示例を示す図である。
【図１８】本発明の実施形態５に係る表示装置の処理手順を示すフロー図である。
【発明を実施するための形態】
【００１９】
以下、本発明の実施の形態について、詳細に説明する。
【００２０】
〔第１の実施形態〕
（表示装置の構成）
本実施形態に係る表示装置は、テレビ放送映像等の映像を表示するものである。本実施形態に係る表示装置は、例えばテレビジョン受像機、パーソナルコンピュータ、又はテレビジョン機能付きパーソナルコンピュータ等の表示装置として実現できる。以下では、本実施形態に係る表示装置の詳細な構成について、図１に基づいて説明する。図１は、本実施形態に係る表示装置１の構成を示すブロック図である。
【００２１】
図１に示すように、表示装置１は、制御部１１、メモリ１７、表示部１８、チューナ部１９、外部通信部２０及び外部機器接続部２１を有している。
【００２２】
制御部１１は、表示装置１の各部の動作及び処理を制御するものであり、表示処理部１４、検出部１５及び判定部１６を有している。
【００２３】
表示処理部１４は、映像内に含まれている識別用画像を取得する取得部（図示せず）を備えている。表示処理部１４は、取得した識別用画像を、映像と共に表示部１８の表示画面に表示する。
【００２４】
表示処理部１４は、後述するチューナ部１９が受信した放送波から取得したテレビ放送映像、又は後述する外部通信部２０が通信ネットワーク２３を介して取得した（例えば、ストリーミング配信された）コンテンツ映像等、表示処理部１４に供給された映像を表示部１８に表示させるための処理を行う。表示処理部１４は、後述する判定部１６からの指示に基づき、映像内の識別用画像を表示画面に表示する場合の識別用画像のサイズ又は識別用画像を構成する構成単位のサイズが、所定の大きさを下回らないように識別用画像を表示部１８に表示させる処理も行う。
【００２５】
なお、本明細書において、識別用画像とは、バーコード等の一次元コード、ＱＲコード（登録商標）等の二次元コード、及び電子透かし等、情報が埋め込まれた画像を意味する。なお、電子透かしとは、動画像及び静止画像等のコンテンツに埋め込まれた情報であり、ユーザが視認できないものである。また、構成単位とは、例えばバーコードの場合はバー（棒）であり、ＱＲコード（登録商標）の場合はセルである。
【００２６】
検出部１５は、表示部１８の表示画面に表示するための映像内に含まれている識別用画像を検出する。具体的には、検出部１５は、表示処理部１４が表示部１８に表示させるための映像を取得して、画像認識処理により映像内に識別用画像が含まれているか否かを検出する。より具体的には、検出部１５は、表示処理部１４が表示部１８に表示させるための映像をフレームごとに解析し、フレーム画像に含まれている識別用画像を認識する。
【００２７】
なお、検出部１５による検出方法は画像認識処理に限定されない。例えば、放送波から取得したメタ情報には、テレビ放送映像に含まれる識別用画像の情報が含まれている場合がある。この場合、検出部１５は、放送波から取得したメタ情報を参照して、映像内に識別用画像が含まれているか否かを検出することができる。
【００２８】
検出部１５は、映像内に識別用画像が含まれていることを検出すると、当該識別用画像を表示画面に表示する場合の識別用画像のサイズ又は識別用画像を構成する構成単位のサイズが、所定の大きさを下回るか否かを判定するように判定部１６に指示する。
【００２９】
判定部１６は、検出部１５が検出した識別用画像を表示画面に表示する場合の識別用画像のサイズ又は識別用画像を構成する構成単位のサイズを算出し、算出したサイズが所定の大きさを下回るか否かを判定する。判定部１６による具体的な判定方法については、後述する。判定部１６は、算出したサイズが所定の大きさを下回ると判定すると、当該識別用画像を表示画面に表示する場合の識別用画像のサイズ又は識別用画像を構成する構成単位のサイズが、所定の大きさを下回らないように識別用画像を表示するよう表示処理部１４に指示する。
【００３０】
なお、検出部１５が検出した識別用画像の映像内における位置情報は、判定部１６を介して表示処理部１４に送られる。そのため、表示処理部１４は、当該位置情報に基づき識別用画像を特定し、当該識別用画像のサイズ又は識別用画像を構成する構成単位のサイズを調整して表示部１８に表示させる。
【００３１】
メモリ１７は、１又は複数のプログラム、及び表示装置１の設定データ等を格納している。メモリ１７に格納されている１又は複数のプログラムには、表示装置１を動作させるＯＳ（Ｏｐｅｒａｔｉｎｇ  Ｓｙｓｔｅｍ）及びミドルウェア等も含まれている。
【００３２】
表示部１８は、表示処理部１４の制御により、供給された映像を表示画面に表示する。表示部１８の例としては、液晶ディスプレイ、有機ＥＬ（Ｅｌｅｃｔｒｏ  Ｌｕｍｉｎｅｓｃｅｎｃｅ）ディスプレイ、及びプラズマディスプレイ等が挙げられる。
【００３３】
チューナ部１９は、地上デジタル放送及び衛星放送等の放送波を受信するためのチューナである。チューナ部１９には、放送波を受信するアンテナ２２に接続されている。
【００３４】
外部通信部２０は、表示装置１が、外部装置と通信を行なうためのものである。外部通信部２０は、インターネット等の通信ネットワーク２３と接続可能に構成されている。なお、図示していないが、外部通信部２０と通信ネットワーク２３との間には、ＬＡＮ（Ｌｏｃａｌ  Ａｒｅａ  Ｎｅｔｗｏｒｋ）又はルータ等の通信を行なうために必要な構成が適宜設けられている。
【００３５】
外部機器接続部２１は、表示装置１に接続する外部機器２４のインターフェースである。外部機器２４としては、例えばＨＤＤ（ハードディスクドライブ）又はメモリデバイス等が挙げられる。
【００３６】
（判定部による判定）
上述したように、判定部１６は、検出部１５が検出した識別用画像を表示画面に表示する場合の識別用画像のサイズ又は識別用画像を構成する構成単位のサイズを算出し、算出したサイズが所定の大きさを下回るか否かを判定する。この判定方法について、図２及び図３を参照して以下に説明する。図２は、表示画面に表示するための映像の一例を示しており、図３は、表示画面に映像を表示する場合の表示画面の一表示例を示している。これらの図では、識別用画像としてＱＲコード（登録商標）が示されている。
【００３７】
＜画像サイズの判定＞
まず、識別用画像を表示画面に表示する場合の識別用画像のサイズが所定の大きさを下回るか否かを判定する方法について説明する。
【００３８】
判定部１６は、以下の式（１）及び（２）に基づき、表示するための映像において、識別用画像が占める割合を算出する。ＷＲｑｒは、表示するための映像において、識別用画像の横のサイズが占める割合であり、ＨＲｑｒは、表示するための映像において、識別用画像の縦のサイズが占める割合であり、図２に示す映像において、識別用画像５０ａが占める割合に相当する。
【００３９】
ＷＲｑｒ＝Ｗｑｒ÷Ｗ・・・（１）
ＨＲｑｒ＝Ｈｑｒ÷Ｈ・・・（２）
ここで、Ｗは、表示するための映像の横のサイズ（ピクセル）であり、Ｈは、表示するための映像の縦のサイズ（ピクセル）であり、図２に示す映像のサイズに相当する。Ｗ，Ｈは、データ放送等の規格で定められている値である。
Ｗｑｒは、識別用画像の横の表示サイズ（ピクセル）であり、Ｈｑｒは、識別用画像の縦の表示サイズ（ピクセル）であり、図２に示す映像内の識別用画像５０ａのサイズに相当する。Ｗｑｒ，Ｈｑｒは、Ｗ，Ｈのサイズの映像におけるサイズであり、放送局等から指定されているものである。
【００４０】
なお、識別用画像がデータ放送から取得した映像内に含まれている場合、Ｗ，Ｈは、データ放送の規格で定められており、判定部１６は、Ｗｑｒ，Ｈｑｒをメタ情報から取得し、これらからＷＲｑｒ，ＨＲｑｒを算出すればよい。また、識別用画像が画像として映像内に含まれている場合、判定部１６は、Ｗ，Ｈを当該映像の符号化データから取得し、Ｗｑｒ，Ｈｑｒを映像の画像認識で取得し、これらからＷＲｑｒ，ＨＲｑｒを算出すればよい。
【００４１】
続いて、判定部１６は、以下の式（３）〜（６）に基づき、識別用画像を表示画面に表示する場合の識別用画像のサイズを算出する。Ｓｗｐは、識別用画像の横のサイズ（ピクセル）であり、Ｓｈｐは、識別用画像の縦のサイズ（ピクセル）である。また、Ｓｗｉは、識別用画像の横のサイズ（センチメートル）であり、Ｓｈｉは、識別用画像の縦のサイズ（センチメートル）である。Ｓｗｐ，Ｓｈｐ，Ｓｗｉ，Ｓｈｉは、図３に示す表示画面４０に表示された識別用画像５０ｂのサイズに相当する。
【００４２】
Ｓｗｐ＝ＲＳ×Ｗｐ×ＷＲｑｒ・・・（３）
Ｓｈｐ＝ＲＳ×Ｈｐ×ＨＲｑｒ・・・（４）
Ｓｗｉ＝ＲＳ×Ｗｉ×ＷＲｑｒ・・・（５）
Ｓｈｉ＝ＲＳ×Ｈｉ×ＨＲｑｒ・・・（６）
Ｗｐは、表示画面の横の解像度（ピクセル）であり、Ｈｐは、表示画面の縦の解像度（ピクセル）であり、図３に示す表示装置１の表示画面の解像度に相当する。また、Ｗｉは、表示画面の横のサイズ（センチメートル）であり、Ｈｉは、表示画面の縦のサイズ（センチメートル）であり、図３に示す表示装置１の表示画面のサイズに相当する。
ＲＳは、映像を一画面表示する場合に対する倍率である。例えば、二画面表示をしている場合は、一画面表示する場合に対して映像を半分の大きさに縮小して表示するため、ＲＳ＝０．５となる。
【００４３】
判定部１６は、Ｓｗｐ及びＳｈｐ、ならびにＳｗｉ及びＳｈｉのそれぞれが、それぞれに対応する所定の大きさを下回るか否かを判定する。所定の大きさとは、表示画面上に表示された識別用画像をスマートフォン等で読み込む（識別する）ために必要な識別用画像のサイズの最小値である。この最小値は、予め定められており、判定部１６は、Ｓｗｐが、表示画面上に表示された識別用画像を識別するために必要な識別用画像のサイズ（ピクセル）の最小値ＭＩＮｗｐを下回るか否かを判定すると共に、Ｓｈｐが、表示画面上に表示された識別用画像を識別するために必要な識別用画像のサイズ（ピクセル）の最小値ＭＩＮｈｐを下回るか否かを判定する。
【００４４】
同時に、判定部１６は、Ｓｗｉが、表示画面上に表示された識別用画像を識別するために必要な識別用画像のサイズ（センチメートル）の最小値ＭＩＮｗｉを下回るか否かを判定すると共に、Ｓｈｉが、表示画面上に表示された識別用画像を識別するために必要な識別用画像のサイズ（センチメートル）の最小値ＭＩＮｈｉを下回るか否かを判定する。
【００４５】
判定部１６は、Ｓｗｐ、Ｓｈｐ、Ｓｗｉ及びＳｈｉのうち、それぞれに対応する所定の大きさを下回るものが１つでもあると、識別用画像を表示画面に表示する場合の識別用画像のサイズが、所定の大きさを下回らないように識別用画像を表示するよう表示処理部１４に指示する。
【００４６】
＜画像の構成単位のサイズの判定＞
次に、識別用画像を表示画面に表示する場合の識別用画像を構成する構成単位のサイズが所定の大きさを下回るか否かを判定する方法について説明する。
【００４７】
判定部１６は、式（１）及び（２）に基づき、表示するための映像において、識別用画像が占める割合を算出した後、以下の式（７）〜（１０）に基づき、識別用画像を表示画面に表示する場合の識別用画像を構成する構成単位のサイズを算出する。Ｕｗｐは、識別用画像を構成する構成単位の横のサイズ（ピクセル）であり、Ｕｈｐは、識別用画像を構成する構成単位の縦のサイズ（ピクセル）である。また、Ｕｗｉは、識別用画像を構成する構成単位の横のサイズ（センチメートル）であり、Ｕｈｉは、識別用画像を構成する構成単位の縦のサイズ（センチメートル）である。Ｕｗｐ，Ｕｈｐ，Ｕｗｉ，Ｕｈｉは、図３に示す表示画面４０に表示された識別用画像５０ｂを構成する構成単位のサイズに相当する。
【００４８】
Ｕｗｐ＝ＲＳ×Ｗｐ×ＷＲｑｒ÷Ｗｕｑｒ・・・（７）
Ｕｈｐ＝ＲＳ×Ｈｐ×ＨＲｑｒ÷Ｈｕｑｒ・・・（８）
Ｕｗｉ＝ＲＳ×Ｗｉ×ＷＲｑｒ÷Ｗｕｑｒ・・・（９）
Ｕｈｉ＝ＲＳ×Ｈｉ×ＨＲｑｒ÷Ｈｕｑｒ・・・（１０）
ここで、Ｗｕｑｒは、識別用画像を構成する構成単位の横方向の数であり、Ｈｕｑｒは、識別用画像を構成する構成単位の縦方向の数であり、図２に示す映像内の識別用画像５０ａを構成する構成単位の数に相当する。Ｗｕｑｒ，Ｈｕｑｒは、メタ情報から識別用画像に関する情報を取得し、当該識別用画像を構成する構成単位の数を特定してもよいし、識別用画像が含まれる映像を取得して、画像認識処理により当該識別用画像を構成する構成単位の数を特定してもよい。
【００４９】
判定部１６は、Ｕｗｐ及びＵｈｐ、あるいはＵｗｉ及びＵｈｉそれぞれが、それぞれに対応する所定の大きさを下回るか否かを判定する。所定の大きさとは、表示画面上に表示された識別用画像をスマートフォン等で読み込む（識別する）ために必要な識別用画像を構成する構成単位のサイズの最小値である。この最小値は、予め定められており、判定部１６は、Ｕｗｐが、表示画面上に表示された識別用画像を識別するために必要な識別用画像を構成する構成単位のサイズ（ピクセル）の最小値ＭＩＮｕｗｐを下回るか否かを判定すると共に、Ｕｈｐが、表示画面上に表示された識別用画像を識別するために必要な識別用画像を構成する構成単位のサイズ（ピクセル）の最小値ＭＩＮｕｈｐを下回るか否かを判定する。
【００５０】
同時に、判定部１６は、Ｕｗｉが、表示画面上に表示された識別用画像を識別するために必要な識別用画像を構成する構成単位のサイズ（センチメートル）の最小値ＭＩＮｕｗｉを下回るか否かを判定すると共に、Ｕｈｉが、表示画面上に表示された識別用画像を識別するために必要な識別用画像を構成する構成単位のサイズ（センチメートル）の最小値ＭＩＮｕｈｉを下回るか否かを判定する。
【００５１】
判定部１６は、Ｕｗｐ、Ｕｈｐ、Ｕｗｉ及びＵｈｉのうち、それぞれに対応する所定の大きさを下回るものが１つでもあると、識別用画像を表示画面に表示する場合の識別用画像を構成する構成単位のサイズが、所定の大きさを下回らないように識別用画像を表示するよう表示処理部１４に指示する。
【００５２】
（表示処理部による調整）
表示処理部１４は、判定部１６からの指示を受け、映像内の識別用画像を表示画面に表示する場合の識別用画像のサイズ又は識別用画像を構成する構成単位のサイズが、所定の大きさを下回らないように識別用画像を調整して表示部１８に表示させる処理を行う。この処理について、図４を参照して以下に説明する。図４は、識別用画像を調整して表示画面に表示する場合の表示画面の一表示例を示している。
【００５３】
＜画像のサイズに基づく調整＞
まず、識別用画像を表示画面に表示する場合の識別用画像のサイズが所定の大きさを下回らないように識別用画像を表示する処理について説明する。
【００５４】
表示処理部１４は、以下の式（１１）〜（１４）を満たす調整値を算出する。Ｃｗｐ，Ｃｈｐ，Ｃｗｉ，Ｃｈｉは、それぞれ識別用画像を表示画面に表示する場合の識別用画像のサイズが所定の大きさを下回らないようにするために必要な、映像内の識別用画像に対する倍率（調整値）である。Ｃｗｐ，Ｃｗｉは、それぞれＳｗｐ，Ｓｗｉがそれぞれに対応する所定の大きさを下回らないようにするために必要な、映像内の識別用画像に対する横方向の倍率であり、Ｃｈｐ，Ｃｈｉは、それぞれＳｗｉ，Ｓｈｉがそれぞれに対応する所定の大きさを下回らないように必要な、映像内の識別用画像に対する縦方向の倍率である。
【００５５】
ＭＩＮｗｐ＝Ｃｗｐ×Ｓｗｐ・・・（１１）
ＭＩＮｈｐ＝Ｃｈｐ×Ｓｈｐ・・・（１２）
ＭＩＮｗｉ＝Ｃｗｉ×Ｓｗｉ・・・（１３）
ＭＩＮｈｉ＝Ｃｈｉ×Ｓｈｉ・・・（１４）
表示処理部１４は、Ｃｗｐ，Ｃｈｐ，Ｃｗｉ，Ｃｈｉのうち最も大きい値の調整値を特定し、映像を表示部１８に表示させる際に、映像内の識別用画像を当該調整値だけ拡大したものを表示部１８に表示させる。より具体的には、表示処理部１４は、映像内の識別用画像を当該調整値だけ拡大したものをＲＳの分だけ縮小して表示部１８に表示させる。換言すれば、表示処理部１４は、映像を表示部１８に表示させる際に、映像内の識別用画像を表示画面に表示する場合のサイズが、調整値（Ｃｗｐ，Ｃｈｐ，Ｃｗｉ，Ｃｈｉのうち最も大きい値）×ＲＳ倍となるように識別用画像を表示部１８に表示させる。
【００５６】
このため、ＲＳの値によっては表示する識別用画像のサイズが、映像を全画面表示する場合の識別用画像のサイズよりも縮小されることもあるが、当該識別用画像のサイズは、所定の大きさを下回らないように表示されることになる。
【００５７】
＜画像の構成単位のサイズに基づく調整＞
次に、識別用画像を表示画面に表示する場合の識別用画像を構成する構成単位のサイズが所定の大きさを下回らないように識別用画像を表示する処理について説明する。
【００５８】
表示処理部１４は、以下の式（１５）〜（１８）を満たす調整値を算出する。Ｃｕｗｐ，Ｃｕｈｐ，Ｃｕｗｉ，Ｃｕｈｉは、それぞれ識別用画像を表示画面に表示する場合の識別用画像を構成する構成単位のサイズが所定の大きさを下回らないようにするために必要な、映像内の識別用画像に対する倍率（調整値）である。Ｃｕｗｐ，Ｃｕｗｉは、それぞれＵｗｐ，Ｕｈｐがそれぞれに対応する所定の大きさを下回らないようにするために必要な、映像内の識別用画像に対する横方向の倍率であり、Ｃｕｈｐ，Ｃｕｈｉは、それぞれＵｈｐ，Ｕｈｉがそれぞれに対応する所定の大きさを下回らないようにするために必要な、映像内の識別用画像に対する縦方向の倍率である。
【００５９】
ＭＩＮｕｗｐ＝Ｃｕｗｐ×Ｕｗｐ・・・（１５）
ＭＩＮｕｈｐ＝Ｃｕｈｐ×Ｕｈｐ・・・（１６）
ＭＩＮｕｗｉ＝Ｃｕｗｉ×Ｕｗｉ・・・（１７）
ＭＩＮｕｈｉ＝Ｃｕｈｉ×Ｕｈｉ・・・（１８）
表示処理部１４は、Ｃｕｗｐ，Ｃｕｈｐ，Ｃｕｗｉ，Ｃｕｈｉのうち最も大きい値の調整値を特定し、映像を表示部１８に表示させる際に、映像内の識別用画像を当該調整値だけ拡大したものを表示部１８に表示させる。より具体的には、表示処理部１４は、映像内の識別用画像を当該調整値だけ拡大したものをＲＳの分だけ縮小して表示部１８に表示させる。換言すれば、表示処理部１４は、映像を表示部１８に表示させる際に、識別用画像のサイズが、調整値（Ｃｕｗｐ，Ｃｕｈｐ，Ｃｕｗｉ，Ｃｕｈｉのうち最も大きい値）×ＲＳ倍となるように識別用画像を表示部１８に表示させる。
【００６０】
このため、ＲＳの値によっては表示する識別用画像のサイズが、映像を全画面表示する場合の識別用画像のサイズよりも縮小されることもあるが、当該識別用画像を構成する構成単位のサイズは、所定の大きさを下回らないように表示されることになる。
【００６１】
（表示処理の手順）
以下では、映像内の識別用画像を表示画面に表示する場合の識別用画像のサイズ又は識別用画像を構成する構成単位のサイズが、所定の大きさを下回らないように識別用画像を調整して表示画面に表示するまでの処理について、再び図２〜図４を参照して図５に沿って説明する。図５は、表示装置１における処理手順を示すフロー図である。
【００６２】
はじめに、検出部１５は、表示処理部１４が表示部１８に表示させるための映像内に含まれている識別用画像を検出する。より具体的には、検出部１５は、表示処理部１４が表示部１８に表示させるための映像内に識別用画像が含まれているか否かを検出する（ステップＳ１１；以下、ステップは「Ｓ」と略記する）。検出部１５が何も検出しない、すなわち映像内に識別用画像が含まれていない場合には（Ｓ１２：ＮＯ）、Ｓ１１に戻り、Ｓ１１の処理を繰り返し行う。
【００６３】
一方、図２に示すように、検出部１５が映像内に識別用画像５０ａが含まれていることを検出すると（Ｓ１２：ＹＥＳ）、次に判定部１６が、検出部１５が検出した識別用画像を、図３に示すように表示画面４０に表示する場合の識別用画像５０ｂのサイズ又は識別用画像５０ｂを構成する構成単位のサイズを算出する（Ｓ１３）。そして、判定部１６は、算出したサイズが所定の大きさを下回るか否かを判定する（Ｓ１４）。
【００６４】
判定部１６が、算出したサイズが所定の大きさを下回らないと判定すると（Ｓ１４：ＮＯ）、判定部１６は、表示処理部１４に何の指示も与えない。したがって、表示処理部１４は、表示処理部１４に供給された映像をそのまま表示部１８に表示させる。
【００６５】
一方、判定部１６が、算出したサイズが所定の大きさを下回ると判定すると（Ｓ１４：ＹＥＳ）、判定部１６は、識別用画像を表示画面に表示する場合の識別用画像のサイズ又は識別用画像を構成する構成単位のサイズが、所定の大きさを下回らないように識別用画像を表示するよう表示処理部１４に指示する（Ｓ１５）。
【００６６】
表示処理部１４は、判定部１６からの指示を受け、識別用画像５０ａを表示画面４０に表示する場合の識別用画像のサイズ又は識別用画像を構成する構成単位のサイズが所定の大きさを下回らないようにするために必要な、映像内の識別用画像に対する倍率（調整値）を特定する。そして、表示処理部１４は、映像を表示部１８に表示させる際に、映像内の識別用画像５０ａを当該調整値だけ拡大したものを表示部１８に表示させる。これにより、表示部１８の表示画面４０には、図４に示すように、映像内の識別用画像５０ａを表示画面４０に表示する場合の識別用画像のサイズ又は識別用画像を構成する構成単位のサイズが所定の大きさを下回らないように調整された識別用画像５０ｃが表示される。
【００６７】
これにより、表示画面４０上に表示する場合に小さく表示されてしまい、識別することができないような識別用画像は、識別可能な大きさに調整されて表示される。このため、本実施形態に係る表示装置１では、識別用画像が小さく表示されて識別できない事態を防ぐことができる。このように、本実施形態に係る表示装置１では、映像に含まれる識別用画像をそのまま表示すると、小さく表示されてしまうような場合であっても、何ら問題なく当該識別用画像の識別を行うことができる。
【００６８】
（判定例）
以下には、判定部１６による具体的な判定例を示す。
【００６９】
＜判定例１＞
まず、識別用画像５０ａを表示画面４０に表示する場合の識別用画像５０ｂのサイズを用いて判定を行う場合を示す。
【００７０】
映像のサイズがＷ＝１０８０、Ｈ＝１９２０であり、識別用画像５０ａのサイズがＷｑｒ＝８７．５、Ｈｑｒ＝８７．５であり、表示画面４０の解像度がＷｐ＝１０８０、Ｈｐ＝１９２０、Ｗｉ＝４８．５、Ｈｉ＝８７．８であり、映像を一画面表示（すなわち、ＲＳ＝１）する場合を想定する。
【００７１】
この場合の表示するための映像において、識別用画像５０ａが占める割合は、
ＷＲｑｒ＝８７．５÷１０８０≒０．０８１
ＨＲｑｒ＝８７．５÷１９２０≒０．０４５
続いて、識別用画像５０ａを表示画面４０に表示する場合の識別用画像５０ｂのサイズは、
Ｓｗｐ＝１×１０８０×０．０８１≒８７．５
Ｓｈｐ＝１×１９２０×０．０４５≒８７．５
Ｓｗｉ＝１×４８．５×０．０８１≒４．０
Ｓｈｉ＝１×８７．８×０．０４５≒４．０
となる。
【００７２】
ここで、表示画面４０上に表示された識別用画像５０ｂを識別するために必要な識別用画像のサイズの最小値がＭＩＮｗｐ＝８７．５、ＭＩＮｈｐ＝８７．５、ＭＩＮｗｉ＝４．０、ＭＩＮｈｉ＝４．０とすると、
ＭＩＮｗｐ≦Ｓｗｐ
ＭＩＮｈｐ≦Ｓｈｐ
ＭＩＮｗｉ≦Ｓｗｉ
ＭＩＮｈｉ≦Ｓｈｉ
となるので、判定部１６は、算出したサイズが所定の大きさを下回らないと判定する。この場合、判定部１６は、表示処理部１４に何の指示も与えない。したがって、表示処理部１４は、表示処理部１４に供給された映像をそのまま表示部１８に表示させる。
【００７３】
＜判定例２＞
次に、識別用画像５０ａを表示画面４０に表示する場合の識別用画像５０ｂを構成する構成単位のサイズを用いて判定を行う場合を示す。
【００７４】
識別用画像５０ａの構成単位（セル）の数がＷｕｑｒ＝２１、Ｈｕｑｒ＝２１である場合の識別用画像５０ａを表示画面４０に表示する場合の識別用画像５０ｂを構成する構成単位のサイズは、
Ｕｗｐ＝１×１０８０×０．０８１÷２１≒４．１７
Ｕｈｐ＝１×１９２０×０．０４５÷２１≒４．１７
Ｕｗｉ＝１×４８．５×０．０８１÷２１≒０．１９
Ｕｈｉ＝１×８７．８×０．０４５÷２１≒０．１９
となる。
【００７５】
ここで、表示画面４０上に表示された識別用画像５０ｂを識別するために必要な識別用画像を構成する構成単位のサイズの最小値がＭＩＮｕｗｐ＝４、ＭＩＮｕｈｐ＝４、ＭＩＮｕｗｉ＝０．０２５、ＭＩＮｕｈｉ＝０．０２５とすると、
ＭＩＮｕｗｐ≦Ｕｗｐ
ＭＩＮｕｈｐ≦Ｕｈｐ
ＭＩＮｕｗｉ≦Ｕｗｉ
ＭＩＮｕｈｉ≦Ｕｈｉ
となるので、判定部１６は、算出したサイズが所定の大きさを下回らないと判定する。この場合、判定部１６は、表示処理部１４に何の指示も与えない。したがって、表示処理部１４は、表示処理部１４に供給された映像をそのまま表示部１８に表示させる。
【００７６】
＜判定例３＞
一方、識別用画像５０ａの構成単位（セル）の数がＷｕｑｒ＝１７７、Ｈｕｑｒ＝１７７である場合の識別用画像５０ａを表示画面４０に表示する場合の識別用画像５０ｂを構成する構成単位のサイズは、
Ｕｗｐ＝１×１０８０×０．０８１÷１７７≒０．４９
Ｕｈｐ＝１×１９２０×０．０４５÷１７７≒０．４９
Ｕｗｉ＝１×４８．５×０．０８１÷１７７≒０．０２３
Ｕｈｉ＝１×８７．８×０．０４５÷１７７≒０．０２３
となる。
【００７７】
ここで、表示画面４０上に表示された識別用画像５０ｂを識別するために必要な識別用画像を構成する構成単位のサイズの最小値がＭＩＮｕｗｐ＝４、ＭＩＮｕｈｐ＝４、ＭＩＮｕｗｉ＝０．０２５、ＭＩＮｕｈｉ＝０．０２５とすると、
ＭＩＮｕｗｐ＞Ｕｗｐ
ＭＩＮｕｈｐ＞Ｕｈｐ
ＭＩＮｕｗｉ＞Ｕｗｉ
ＭＩＮｕｈｉ＞Ｕｈｉ
となるので、判定部１６は、算出したサイズが所定の大きさを下回ると判定する。この場合、判定部１６は、識別用画像５０ａを表示画面４０に表示する場合の識別用画像５０ｂを構成する構成単位のサイズが、所定の大きさを下回らないように識別用画像を表示するよう表示処理部１４に指示する。
【００７８】
表示処理部１４は、識別用画像５０ａを表示画面４０に表示する場合の識別用画像５０ｂを構成する構成単位のサイズが所定の大きさを下回らないようにするために必要な、映像内の識別用画像５０ａに対する倍率（調整値）を算出する。
【００７９】
この場合、
ＭＩＮｕｗｐ＝Ｃｕｗｐ×Ｕｗｐ
ＭＩＮｕｈｐ＝Ｃｕｈｐ×Ｕｈｐ
ＭＩＮｕｗｉ＝Ｃｕｗｉ×Ｕｗｉ
ＭＩＮｕｈｉ＝Ｃｕｈｉ×Ｕｈｉ
を満たす調整値は、
Ｃｕｗｐ＝８．１６
Ｃｕｈｐ＝８．１６
Ｃｕｗｉ＝１．０９
Ｃｕｈｉ＝１．０９
となる。そこで、表示処理部１４は、映像を表示部１８に表示させる際に、Ｃｕｗｐ，Ｃｕｈｐ，Ｃｕｗｉ，Ｃｕｈｉのうち最も大きい値の調整値（８．１６）だけ映像内の識別用画像５０ａを拡大したものを表示部１８に表示させる。これにより、表示部１８の表示画面４０には、映像内の識別用画像５０ａを表示画面４０に表示する場合の識別用画像のサイズがＭＩＮｕｗｐ、ＭＩＮｕｈｐ、ＭＩＮｕｗｉ及びＭＩＮｕｈｉを下回らないように調整された識別用画像５０ｃが表示される。
【００８０】
（識別用画像の表示方法）
表示処理部１４が、映像内の識別用画像を表示画面に表示する場合の識別用画像のサイズ又は識別用画像を構成する構成単位のサイズが所定の大きさを下回らないように調整した識別用画像の表示方法に特に限定はない。
【００８１】
例えば、図４に示したように、表示処理部１４は、表示画面４０に表示するための映像内における識別用画像５０ａの位置に、所定の大きさを下回らないように調整した識別用画像５０ｃを表示してもよい。すなわち、表示画面４０に表示するための映像内における識別用画像５０ａに重畳して、所定の大きさを下回らないように調整した識別用画像５０ｃを表示してもよい。
【００８２】
あるいは、表示処理部１４は、表示画面内における映像を表示する領域の外部に、所定の大きさを下回らないように調整した識別用画像を表示してもよい。この表示方法の例を図６に示す。本図では、識別用画像としてＱＲコード（登録商標）が示されている。
【００８３】
図６に示すように、表示画面４０内における映像を表示する領域の外部に、所定の大きさを下回らないように調整した識別用画像５０ｃを表示することも可能である。すなわち、表示画面４０内における映像を表示する領域に重畳しないように、所定の大きさを下回らないように調整した識別用画像５０ｃを表示することも可能である。本図に示すように、所定の大きさを下回らないように調整した識別用画像５０ｃを、映像を表示する領域の外部に表示するために、映像自体を縮小して表示してもよい。
【００８４】
なお、映像内における識別用画像５０ａの位置に、所定の大きさを下回らないように調整した識別用画像５０ｃを表示する場合には、表示している映像は本来の映像とは異なる旨のコメントを表示画面４０上に表示してもよい。また、表示画面４０内における映像を表示する領域の外部に、所定の大きさを下回らないように調整した識別用画像５０ｃを表示する場合には、識別用画像５０ｃを所定の大きさを下回らないように調整した旨のコメントを表示画面４０上に表示してもよい。
【００８５】
また、所定の大きさを下回らないように調整した識別用画像５０ｃの表示を取り止めるか否か、すなわち本来の映像の表示に戻すか否かをユーザが適宜選択可能に構成されていてもよい。
【００８６】
（検出部による検出タイミング）
表示装置１では、二画面表示を用いて２つの映像を表示したり、ＰｉｎＰ（Ｐｉｃｔｕｒｅ  ｉｎ  Ｐｉｎｃｔｕｒｅ）表示等のように子画面を用いて親画面上に他の映像を表示したりすることができる。
【００８７】
図７は、二画面表示しているときの表示画面の一表示例を示しており、表示画面４０には、第１画面４５ａと第２画面４５ｂとが二画面表示されている。また、図８は、子画面表示しているときの表示画面の一表示例を示しており、表示画面４０には、親画面５５ａが表示されており、その上に子画面５５ｂが表示されている。これらの図では、識別用画像としてＱＲコード（登録商標）が示されている。
【００８８】
このような二画面表示及び子画面表示等の場合、図７及び図８に示すように、表示している映像のいずれかに識別用画像５０ｂが含まれていると、二画面表示又は子画面表示に応じて識別用画像も縮小して表示されることになる。そこで、検出部１５は、二画面表示及び子画面表示等、映像を表示画面に表示する場合の映像のサイズが所定のサイズよりも小さい場合に、当該映像内に識別用画像が含まれているか否かを検出するように構成されていてもよい。なお、所定のサイズは、例えば映像を表示部１８に全画面表示する場合のサイズとすることができる。
【００８９】
これにより、二画面表示及び子画面表示等を行っているときには検出部１５による識別用画像の検出が行われるので、表示処理部１４により、検出部１５が検出した識別用画像を表示画面に表示する場合の識別用画像のサイズ又は識別用画像を構成する構成単位のサイズが、所定の大きさを下回らないように識別用画像が表示画面に表示される。このため、二画面表示及び子画面表示等を行っているときに識別用画像が縮小して表示されていても、問題なく識別用画像の識別ができる。
【００９０】
＜二画面表示＞
以下では、映像を表示画面に表示する場合の映像のサイズが所定のサイズよりも小さい場合として、二画面表示を行っている場合を例に挙げて説明する。例えば、所定のサイズを表示部１８に全画面表示する場合の映像のサイズと仮定すると、二画面表示の場合、表示画面４０に表示している第１画面４５ａ及び第２画面４５ｂは何れも表示部１８に全画面表示する場合のサイズよりも小さい。そこで、検出部１５は、第１画面４５ａ及び第２画面４５ｂに表示するためのそれぞれの映像の少なくとも何れか含まれている識別用画像の検出を行う。より具体的には、検出部１５は、第１画面４５ａ及び第２画面４５ｂに表示するためのそれぞれの映像の少なくとも何れかに識別用画像が含まれているか否かの検出を行う。
【００９１】
検出部１５が、第１画面４５ａ及び第２画面４５ｂに表示するためのそれぞれの映像の少なくとも何れかに識別用画像が含まれていることを検出すると、判定部１６は、検出部１５が検出した識別用画像を第１画面４５ａ又は第２画面４５ｂに表示する場合の識別用画像のサイズ又は識別用画像を構成する構成単位のサイズが所定の大きさを下回るか否かを判定する。
【００９２】
例えば、第１画面４５ａに表示するための映像に含まれている識別用画像に関しては、判定部１６は、第１画面４５ａに表示する場合の識別用画像のサイズ又は識別用画像を構成する構成単位のサイズに基づき判定を行い、第２画面４５ｂに表示するための映像に含まれている識別用画像に関しては、判定部１６は、第２画面４５ｂに表示する場合の識別用画像のサイズ又は識別用画像を構成する構成単位のサイズに基づき判定を行う。また、第１画面４５ａ及び第２画面４５ｂに表示するためのそれぞれの映像の何れにも識別用画像が含まれている場合は、判定部１６は、各識別用画像に関して判定を行う。
【００９３】
そして、第１画面４５ａ又は第２画面４５ｂに識別用画像を表示する場合の識別用画像のサイズ又は識別用画像を構成する構成単位のサイズが所定の大きさを下回ると判定部１６が判定すると、表示処理部１４は、当該識別用画像を第１画面４５ａ又は第２画面４５ｂに表示する場合の識別用画像のサイズ又は識別用画像を構成する構成単位のサイズが、所定の大きさを下回らないように識別用画像を表示部１８に表示させる。
【００９４】
二画面表示しているときにおいて、所定の大きさを下回らないように調整した識別用画像の表示例を図９及び図１０に示す。これらの図では、識別用画像としてＱＲコード（登録商標）が示されている。
【００９５】
図９に示すように、表示処理部１４は、表示画面４０に表示するための第１画面４５ａ内における識別用画像の位置に、所定の大きさを下回らないように調整した識別用画像５０ｃを表示してもよい。あるいは、図１０に示すように、表示処理部１４は、表示画面４０内における第１画面４５ａ及び第２画面４５ｂの外部に、所定の大きさを下回らないように調整した識別用画像５０ｃを表示してもよい。図１０に示すように、所定の大きさを下回らないように調整した識別用画像５０ｃを第１画面４５ａ及び第２画面４５ｂの外部に表示するために、第１画面４５ａ及び第２画面４５ｂ自体を移動させたり、縮小させたりしてもよい。
【００９６】
なお、表示画面４０内における第１画面４５ａ及び第２画面４５ｂの外部に、所定の大きさを下回らないように調整した識別用画像５０ｃを表示する場合、当該識別用画像５０ｃを表示する位置に特に限定はないが、第１画面４５ａ及び第２画面４５ｂのうち対応する画面近傍に表示することが好ましい。対応する画面とは、識別用画像５０ｃの表示元となっている画面である。これにより、表示されている識別用画像５０ｃが何れの画面に表示されている識別用画像を調整したものであるのかユーザは簡単に見分けることができる。
【００９７】
したがって例えば、表示処理部１４は、表示画面４０に識別用画像を含む映像を全画面表示する場合の識別用画像の第１のサイズよりも小さい第２のサイズで識別用画像を表示する場合には、当該第２のサイズよりも拡大した識別用画像を表示画面４０に別途表示する構成としてもよい。
【００９８】
あるいは、表示処理部１４は、表示画面４０に識別用画像を含む映像を全画面表示する場合の識別用画像の第１のサイズよりも小さい第２のサイズで識別用画像を表示する場合には、当該第１のサイズで識別用画像を表示してもよい。
【００９９】
〔第２の実施形態〕
＜子画面表示＞
上述したように、映像を表示画面に表示する場合の映像のサイズが所定のサイズよりも小さい場合として、子画面表示を行っている場合も想定される。以下では、子画面表示を行っている場合について説明する。
【０１００】
例えば、所定のサイズを表示部１８に全画面表示する場合の映像のサイズと仮定すると、子画面表示の場合、表示画面４０に表示している親画面５５ａ及び子画面５５ｂのうち、子画面５５ｂは表示部１８に全画面表示する場合のサイズよりも小さい。そこで、検出部１５は、子画面５５ｂに表示するための映像に含まれている識別用画像の検出を行う。より具体的には、検出部１５は、子画面５５ｂに表示するための映像に識別用画像が含まれているか否かの検出を行う。
【０１０１】
検出部１５が、子画面５５ｂに表示するための映像に識別用画像が含まれていることを検出すると、判定部１６は、検出部１５が検出した識別用画像を子画面５５ｂに表示する場合の識別用画像のサイズ又は識別用画像を構成する構成単位のサイズが所定の大きさを下回るか否かを判定する。
【０１０２】
そして、子画面５５ｂに識別用画像を表示する場合の識別用画像のサイズ又は識別用画像を構成する構成単位のサイズが所定の大きさを下回ると判定部１６が判定すると、表示処理部１４は、当該識別用画像を子画面５５ｂに表示する場合の識別用画像のサイズ又は識別用画像を構成する構成単位のサイズが、所定の大きさを下回らないように識別用画像を表示部１８に表示させる。
【０１０３】
子画面表示しているときにおいて、所定の大きさを下回らないように調整した識別用画像の表示例を図１１に示す。本図では、識別用画像としてＱＲコード（登録商標）が示されている。
【０１０４】
図１１に示すように、表示処理部１４は、表示画面４０内における親画面５５ａ及び子画面５５ｂの外部に、所定の大きさを下回らないように調整した識別用画像５０ｃを表示してもよい。図１１に示すように、所定の大きさを下回らないように調整した識別用画像５０ｃを親画面５５ａ及び子画面５５ｂの外部に表示するために、親画面５５ａ及び子画面５５ｂ自体を縮小させてもよい。
【０１０５】
なお、以上では、表示画面４０内における親画面５５ａ及び子画面５５ｂの外部に、所定の大きさを下回らないように調整した識別用画像５０ｃを表示する例を示したが、本実施形態はこれに限定されるわけではない。例えば、子画面５５ｂ内に所定の大きさを下回らないように調整した識別用画像５０ｃを表示するだけの領域があるのであれば、表示処理部１４は、子画面５５ｂ内における識別用画像の位置に、所定の大きさを下回らないように調整した識別用画像５０ｃを表示してもよい。
【０１０６】
また、以上では、検出部１５は、映像のサイズが所定のサイズよりも小さい子画面５５ｂに表示するための映像内に識別用画像が含まれるか否かの検出を行っているが、本実施形態はこれに限定されるわけではない。例えば、検出部１５による検出は、親画面５５ａ及び子画面５５ｂそれぞれに表示する映像に関して行ってもよい。
【０１０７】
この場合は、二画面表示の場合と同じであり、親画面５５ａに表示するための映像に含まれている識別用画像に関しては、判定部１６は、親画面５５ａに表示する場合の識別用画像のサイズ又は識別用画像を構成する構成単位のサイズに基づき判定を行う。また、親画面５５ａ及び子画面５５ｂに表示するためのそれぞれの映像の何れにも識別用画像が含まれている場合は、判定部１６は、各識別用画像に関して判定を行う。
【０１０８】
〔第３の実施形態〕
本発明に係る表示装置は、実施形態１に示したものに限定されるものではなく、例えば以下に説明するような構成としてもよい。なお、以下に示す表示装置の構成は、基本的には実施形態１の構成と共通することから、以下では、第１の実施形態に係る表示装置と異なる点を中心として説明する。
【０１０９】
本実施形態において、表示処理部１４は、後述するチューナ部１９が受信した放送波から取得したテレビ放送映像、又は後述する外部通信部２０が通信ネットワーク２３を介して取得した（例えば、ストリーミング配信された）コンテンツ映像等、表示処理部１４に供給された映像を表示部１８に表示させるための処理を行う。表示処理部１４は、後述する判定部１６からの指示に基づき、識別不可能化画像を表示部１８に表示させる処理も行う。
【０１１０】
なお、本実施形態において、識別用画像とは、バーコード等の一次元コード、ＱＲコード（登録商標）等の二次元コード、及び電子透かし等、データが埋め込まれた画像を意味する。なお、電子透かしとは、動画像及び静止画像等のコンテンツに埋め込まれた情報であり、ユーザが視認できないものである。ここで、識別用画像に埋め込まれたデータとは、例えば後述する外部通信部２０が通信ネットワーク２３を介して外部の情報にアクセスするためのデータである。
【０１１１】
また、識別不可能化画像とは、識別用画像を隠す目隠し画像等、識別用画像に埋め込まれたデータを抽出できないようにするための画像である。この識別不可能化画像により、識別用画像は識別不可能となる。表示処理部１４は、識別不可能化画像を識別用画像の上に重畳した映像を表示部１８に表示させてもよいし、識別用画像を識別不可能化画像に置き換えた映像を表示部１８に表示させてもよく、ユーザが識別用画像の代わりに識別不可能化画像を視認できれば識別不可能化画像の表示方法に特に限定はない。
【０１１２】
検出部１５は、表示部１８の表示画面に表示するための映像内に識別用画像が含まれているか否を検出する。具体的には、検出部１５は、表示処理部１４が表示部１８に表示させるための映像を取得して、画像認識処理により映像内に識別用画像が含まれているか否かを検出する。より具体的には、検出部１５は、表示処理部１４が表示部１８に表示させるための映像をフレームごとに解析し、フレーム画像に含まれている識別用画像を認識する。
【０１１３】
また、検出部１５は、映像内に識別用画像が含まれていることを検出すると、当該識別用画像が有効であるか否かを判定するように判定部１６に指示する。
【０１１４】
判定部１６は、検出部１５が検出した識別用画像が有効であるか否かを判定する。判定部１６による具体的な判定方法については、後述する。判定部１６は、当該識別用画像が有効でないと判定すると、識別用画像に埋め込まれたデータを抽出できないようにするための識別不可能化画像を表示するように表示処理部１４に指示する。
【０１１５】
なお、検出部１５が検出した識別用画像の映像内における位置情報は、判定部１６を介して表示処理部１４に送られるため、表示処理部１４は、当該位置情報に基づき、映像内における識別用画像の位置に、当該識別用画像に埋め込まれたデータを抽出できないようにするための識別不可能化画像を表示部１８に表示させる。
【０１１６】
（判定部による判定）
また、判定部１６は、以下に示す（１）〜（４）のいずれかの方法で識別用画像が有効であるか否かを判定している。
（１）表示画面に表示するための映像が録画された映像である場合には、判定部１６は、当該映像内に含まれる識別用画像が有効でないと判定する。具体的には、判定部１６は、表示処理部１４が表示部１８に表示させるための映像が録画された映像であるか否かを判定する。
【０１１７】
例えば、判定部１６は、メモリ１７又は外部機器接続部２１から供給された映像を表示処理部１４が表示部１８に表示させる場合は、当該映像は録画された映像であると判定することができる。そして、判定部１６は、表示処理部１４が表示部１８に表示させるための映像が録画された映像であると判定した場合には、当該映像内に含まれる識別用画像は無効であると判定する。
（２）識別用画像が特定のリンク先を示すリンク先情報を含んでおり、当該識別用画像に含まれる上記のリンク先情報が示すリンク先にアクセスできない場合には、判定部１６は、当該識別用画像が有効でないと判定する。具体的には、判定部１６は、識別用画像に含まれるリンク先情報が示すリンク先にアクセスができるか否かを判定する。
【０１１８】
例えば、判定部１６は、識別用画像からリンク先情報を読み出し、外部通信部２０に上記のリンク先情報が示すリンク先にアクセスさせることにより、当該リンク先にアクセスできるか否かを判定することができる。そして、判定部１６は、識別用画像に含まれるリンク先情報が示すリンク先にアクセスができないと判定した場合には、当該識別用画像は無効であると判定する。
（３）識別用画像が特定のリンク先へのアクセス期限を示すアクセス情報を含んでおり、当該識別用画像に含まれる上記のアクセス情報が示すアクセス期限を過ぎていると判定した場合に、判定部１６は、当該識別用画像が有効でないと判定する。具体的には、判定部１６は、識別用画像に含まれるアクセス情報が示すアクセス期限を過ぎているか否かを判定する。
【０１１９】
例えば、判定部１６は、識別用画像からアクセス情報を読み出し、当該アクセス情報が示すアクセス期限が過ぎているか否かを判定することができる。そして、判定部１６は、識別用画像に含まれるアクセス情報が示すアクセス期限を過ぎていると判定した場合には、当該識別用画像は無効であると判定する。
（４）識別用画像がパレンタル情報を含んでおり、当該識別用画像に含まれるパレンタル情報が、予めユーザによって表示装置１に設定されている閲覧条件を満たしていない場合に、判定部１６は、当該識別用画像が有効でないと判定する。なお、パレンタル情報とは、識別用画像に対応するリンク先のコンテンツの内容に応じた情報であり、コンテンツの対象年齢及びジャンル等の情報である。また、閲覧条件とは、ユーザに悪影響を及ぼす虞のあるコンテンツの閲覧を制限するために、表示装置１に設定されている閲覧条件（例えば、年齢制限及びジャンル制限等の閲覧制限の条件）である。例えば、対象年齢が一定年齢以上のコンテンツ又は特定のジャンルのコンテンツの閲覧を制限する閲覧条件である。この閲覧条件は、例えばメモリ１７に格納されており、ユーザごとに設定されていてもよい。
【０１２０】
例えば、判定部１６は、識別用画像からパレンタル情報を読み出し、当該パレンタル情報とメモリ１７に格納されている閲覧条件とを比較することにより、パレンタル情報が閲覧条件を満たしているか否かを判定することができる。そして、判定部１６は、識別用画像に含まれるパレンタル情報が、表示装置１に記憶されている閲覧条件を満たしていないと判定した場合には、当該識別用画像は無効であると判定する。
【０１２１】
なお、アクセス情報及びパレンタル情報は、放送局が予め識別用画像に埋め込んでいてもよいが、表示装置１が、識別用画像に含まれるリンク先情報が示すリンク先へのアクセス期限情報を識別用画像に埋め込む構成、及び識別用画像に対応するリンク先のコンテンツの内容に応じたパレンタル情報を識別用画像に埋め込む構成も可能である。
【０１２２】
例えば、表示装置１が映像を取得した時点（放送波からテレビ放送映像を取得した時点、通信ネットワーク２３を介して映像コンテンツを取得した時点等）で、表示装置１が当該映像内の識別用画像にアクセス情報及びパレンタル情報を埋め込んでもよい。なお、アクセス情報及びパレンタル情報は、例えばＨＴＭＬソース内にコメントとして記述することができる。
【０１２３】
このように、映像が録画映像であったり、識別用画像に埋め込まれたデータのリンク先にアクセス不可能又はリンク先の有効期限が切れていたり、識別用画像に含まれるパレンタル情報がユーザの閲覧条件を満たしていなかったりする等、識別用画像に埋め込まれたデータを利用することができない場合に、判定部１６は、当該識別用画像が有効でないと判定することができる。例えば、識別用画像に埋め込まれたデータが通信ネットワーク２３を介して外部の情報にアクセスするためのデータである場合、当該データを用いて外部の情報にアクセスできないと、判定部１６は、当該識別用画像が有効でないと判定する。
【０１２４】
（表示装置の処理）
表示装置１の表示画面の一表示例を図１２に示す。図１２の（ａ）に示すように、表示装置１では、表示画面４０に、識別用画像としてＱＲコード５０が含まれている映像を表示する場合がある。このとき、ユーザがＱＲコード５０をスマートフォン等で読み取れば、例えば図１２の（ｂ）に示すように、ＱＲコード５０に対応するＵＲＬのサイトが提供する表示画像がスマートフォン等に表示され、ＱＲコード５０に対応するＵＲＬのサイトにアクセスできるように構成されている。
【０１２５】
このようなＱＲコード５０は、対応するＵＲＬのサイトの有効期限が切れている等、映像を視聴するタイミングによっては、有効ではない可能性がある。そこで、表示装置１では、表示画面４０に表示するための映像内に含まれるＱＲコード５０が有効であるか否かに応じて、映像内のＱＲコード５０に埋め込まれたデータを抽出できないようにするための識別不可能化画像（図示せず）を表示画面４０に表示する。この処理について、図１３及び図１４に基づいて具体的に説明する。ここで、図１３は、本実施形態に係る表示装置の処理手順を示すフロー図であり、図１４は、本実施形態に係る表示装置の表示画面の一表示例を示す図である。なお、以下では、識別不可能化画像として、ＱＲコード５０を隠す目隠し画像を表示する例を挙げて説明する。
【０１２６】
はじめに、検出部１５は、表示処理部１４が表示部１８に表示させるための映像内にＱＲコード５０が含まれているか否かを検出する（ステップＳ２１；以下、ステップは「Ｓ」と略記する）。例えば、検出部１５は、表示処理部１４が表示部１８に表示させるための映像をフレームごとに画像認識処理をしたり、放送波から取得したメタ情報を参照したりして、当該映像内にＱＲコード５０が含まれているか否かを検出する。検出部１５が何も検出しない、すなわち映像内にＱＲコード５０が含まれていない場合には（Ｓ２２：ＮＯ）、Ｓ２１に戻り、Ｓ２１の処理を繰り返し行う。
【０１２７】
一方、検出部１５がＱＲコード５０を検出すると（Ｓ２２：ＹＥＳ）、次に判定部１６がＱＲコード５０の有効性を判定する（Ｓ２３）。例えば、判定部１６は、表示画面４０に表示するための映像が録画された映像であるか否か、リンク先情報が示すリンク先にアクセスできるか否か、ＱＲコード５０に含まれるアクセス情報又はパレンタル情報等に応じて、当該映像に含まれるＱＲコード５０が有効であるか否かを判定する。
【０１２８】
判定部１６がＱＲコード５０は無効であると判定すると（Ｓ２４：ＮＯ）、判定部１６は、ＱＲコード５０に埋め込まれたデータを抽出できないようにするために当該ＱＲコード５０を隠す目隠し画像を表示するように表示処理部１４に指示する。表示処理部１４は、判定部１６からの指示に基づき、映像内のＱＲコード５０を隠す目隠し画像を表示部１８に表示させる。そして、表示部１８は、図４に示すように、映像内のＱＲコード５０を隠す目隠し画像５１を表示画面４０に表示する（Ｓ２６）。
【０１２９】
一方、判定部１６がＱＲコード５０は有効であると判定した場合には（Ｓ２４：ＹＥＳ）、判定部１６は、表示処理部１４に何の指示も与えない。したがって、この場合には、表示処理部１４は、表示処理部１４に供給された映像をそのまま表示部１８に表示させる（Ｓ２５）。
【０１３０】
以上のように、本実施形態によれば、映像内のＱＲコード５０が有効でない、すなわちＱＲコード５０が無効である場合には、ＱＲコード５０は目隠し画像５１によって隠されて表示画面４０に表示される。これにより、映像内のＱＲコード５０は、目隠し画像５１によって識別不可能となる。そのため、ユーザが無効なＱＲコード５０の読み取りを行う事態を防ぐことができる。したがって、本実施形態によれば、映像に含まれる無効なＱＲコード５０によってユーザが混乱するのを防止できる。
【０１３１】
なお、図１４では、目隠し画像５１は、ＱＲコード５０全体を塗りつぶしたようなベタ塗りの画像としている。しかしながら、目隠し画像は、識別用画像を隠すことができる画像であれば、特に限定されるものではない。さらに、以上では、識別不可能化画像として目隠し画像を例に挙げているが、識別不可能化画像は目隠し画像に限定されない。識別不可能化画像は、識別用画像が識別不可能となっていることが分かるような画像であれば、いかなる画像であってもよい。
【０１３２】
また、以上では、識別用画像がＱＲコードである場合を例に挙げているが、識別用画像はＱＲコードに限定されず、他の種類の識別用画像であってもよい。
【０１３３】
なお、ＱＲコード等の識別用画像内にアクセス情報及びパレンタル情報の少なくとも何れかを埋め込み、当該アクセス情報及びパレンタル情報の少なくとも何れかが埋め込まれた識別用画像を含む映像を放送波又はインターネット回線を通じて送信する送信装置も本明細書に記載された発明に含まれる。また、このような送信装置では、アクセス情報及びパレンタル情報を、例えばＨＴＭＬソース内にコメントとして記述する構成とすることができる。
【０１３４】
〔第４の実施形態〕
上述したように、実施形態１では、無効な識別用画像に埋め込まれたデータを抽出できないようにするための識別不可能化画像を表示する構成を示したが、本発明はこれに限定されるわけではない。例えば、識別用画像が無効である旨のコーションを表示画面に表示してもよい。この構成について以下に説明する。
【０１３５】
（表示装置の処理）
本実施形態では、表示処理部１４は、判定部１６からの指示に基づき、映像内の識別用画像が無効である旨を示すコーションを表示部１８に表示させる。表示部１８は表示処理部１４からの指示を受けると、映像内の識別用画像が無効である旨を示すコーションを表示画面に表示する。
【０１３６】
この処理について、図１５及び図１６に基づいて具体的に説明する。ここで、図１５は、本実施形態に係る表示装置の表示画面の一表示例を示す図であり、図１６は、本実施形態に係る表示装置１の処理手順を示すフロー図である。
【０１３７】
はじめに、Ｓ３１〜Ｓ３３までの処理は、実施形態１の図５におけるＳ１１〜Ｓ１３と同じであるので、ここではその説明を省略する。以下では、Ｓ３４以降の処理について説明する。
【０１３８】
判定部１６がＱＲコード５０は無効であると判定すると（Ｓ３４：ＮＯ）、判定部１６は、ＱＲコード５０が無効である旨を示すコーションを表示するように表示処理部１４に指示する。表示処理部１４は、判定部１６からの指示に基づき、映像内のＱＲコード５０が無効である旨のコーションを表示部１８に表示させる。そして、表示部１８は、図１５に示すように、映像内のＱＲコード５０が無効である旨を示すコーション５５を表示画面４０に表示する（Ｓ３６）。本図では、映像内のＱＲコード５０が無効である旨を示すコーションとして、「ＱＲコードは無効です。」というコーション５５を表示している。
【０１３９】
一方、判定部１６がＱＲコード５０は有効であると判定した場合には（Ｓ３４：ＹＥＳ）、判定部１６は、表示処理部１４に何の指示も与えない。したがって、この場合には、表示処理部１４は、表示処理部１４に供給された映像をそのまま表示部１８に表示させる（Ｓ３５）。
【０１４０】
以上のように、本実施形態によれば、映像内のＱＲコード５０が有効でない、すなわちＱＲコード５０が無効である場合には、ＱＲコード５０が無効である旨のコーション５５が表示画面４０に表示される。そのため、ユーザは、表示画面上に表示されたコーション５５を見れば、当該ＱＲコード５０が無効であることが一目で分かる。したがって、本実施形態によれば、映像に含まれる無効なＱＲコード５０によってユーザが混乱するのを防止できる。
【０１４１】
なお、図１５では、コーションとして「ＱＲコードは無効です。」というコーション５５を表示している。しかしながら、コーションは、識別用画像が無効であるとユーザが認識できるような内容であれば、特に限定されるものではない。
【０１４２】
また、以上では、識別用画像がＱＲコードである場合を例に挙げているが、識別用画像はＱＲコードに限定されず、他の種類の識別用画像であってもよい。
【０１４３】
〔第５の実施形態〕
上述したように、第３の実施形態では、無効な識別用画像に埋め込まれたデータを抽出できないようにするための識別不可能化画像を表示する構成を示し、第４の実施形態では、識別用画像が無効である旨のコーションを表示画面に表示する構成を示したが、本発明はこれらに限定されるわけではない。例えば、無効な識別用画像の代わりに代替の識別用画像を表示してもよい。この構成について以下に説明する。なお、代替の識別用画像とは、識別用画像に埋め込まれている情報とは異なる代替の情報が埋め込まれた識別用画像を意味する。代替の情報とは、例えば代替のリンク先を示すリンク先情報等である。
【０１４４】
（表示装置の処理）
本実施形態では、表示処理部１４は、判定部１６からの指示に基づき、映像内の識別用画像の代わりに代替の識別用画像を表示部１８に表示させる。表示部１８は表示処理部１４からの指示を受けると、映像内の識別用画像の代わりに代替の識別用画像を表示する。ここで、「映像内の識別用画像の代わりに代替の識別用画像を表示する」とは、
・代替の識別用画像を識別用画像の上に重畳した映像を表示すること
・識別用画像を代替の識別用画像に置き換えた映像を表示すること
を少なくとも含む。
【０１４５】
すなわち、表示処理部１４は、代替の識別用画像を識別用画像の上に重畳した映像を表示部１８に表示させてもよいし、識別用画像を代替の識別用画像に置き換えた映像を表示部１８に表示させてもよく、ユーザが識別用画像の代わりに代替の識別用画像を視認できれば代替の識別用画像の表示方法に特に限定はない。
【０１４６】
この処理について、図１７及び図１８に基づいて具体的に説明する。ここで、図１７は、本実施形態に係る表示装置の表示画面の一表示例を示す図であり、図１８は、本実施形態に係る表示装置１の処理手順を示すフロー図である。
【０１４７】
はじめに、Ｓ４１〜Ｓ４３までの処理は、実施形態１の図５におけるＳ１１〜Ｓ１３と同じであるので、ここではその説明を省略する。以下では、Ｓ４４以降の処理について説明する。
【０１４８】
判定部１６がＱＲコード５０は無効であると判定すると（Ｓ４４：ＮＯ）、判定部１６は、ＱＲコード５０の代わりに代替の識別用画像を表示するように表示処理部１４に指示する。表示処理部１４は、判定部１６からの指示に基づき、映像内のＱＲコード５０の代わりに代替のＱＲコードを表示部１８に表示させる。そして、表示部１８は、図１７の（ａ）に示すように、映像内のＱＲコード５０の代わりに代替のＱＲコード６０を表示画面に表示する（Ｓ４６）。
【０１４９】
このとき、ユーザがＱＲコード６０をスマートフォン等で読み取れば、例えば図１７の（ｂ）に示すように、ＱＲコード６０に対応する代替のサイトが提供する表示画像が表示され、代替のサイトにアクセスできるように構成されている。本図では、ＱＲコード６０に対応するＵＲＬのサイトは、ＱＲコード５０に対応するＵＲＬが無効である旨を示す代替サイトとなっている。
【０１５０】
一方、判定部１６がＱＲコード５０は有効であると判定した場合には（Ｓ４４：ＹＥＳ）、判定部１６は、表示処理部１４に何の指示も与えない。したがって、この場合には、表示処理部１４は、表示処理部１４に供給された映像をそのまま表示部１８に表示させる（Ｓ４５）。
【０１５１】
以上のように、本実施形態によれば、映像内のＱＲコードが有効でない、すなわちＱＲコード５０が無効である場合には、ＱＲコード５０の代わりに代替のＱＲコード６０が表示画面４０に表示される。例えば、図１７の（ｂ）に示したように、ＱＲコード６０に対応するＵＲＬのサイトを、ＱＲコード５０に対応するＵＲＬが無効である旨を示す代替サイトにすることにより、ＱＲコード５０に対応するＵＲＬが無効であることをユーザが認識できる。このように、ユーザは、代替のＱＲコード６０を介して、当該ＱＲコード５０が無効であることを認識することができる。したがって、本実施形態によれば、映像に含まれる無効なＱＲコード５０によってユーザが混乱するのを防止できる。
【０１５２】
なお、以上では、識別用画像及び代替の識別用画像がＱＲコードである場合を例に挙げているが、識別用画像及び代替の識別用画像はＱＲコードに限定されず、他の種類の識別用画像であってもよい。
【０１５３】
〔ソフトウェアによる実施例〕
表示装置１の制御部１１は、集積回路（ＩＣチップ）等に形成された論理回路（ハードウェア）によって実現してもよいし、ＣＰＵ（Ｃｅｎｔｒａｌ  Ｐｒｏｃｅｓｓｉｎｇ  Ｕｎｉｔ）を用いてソフトウェアによって実現してもよい。
【０１５４】
後者の場合、表示装置１は、各機能を実現するソフトウェアであるプログラムの命令を実行するＣＰＵ、上記プログラム及び各種データがコンピュータ（又はＣＰＵ）で読み取り可能に記録されたＲＯＭ（Ｒｅａｄ  Ｏｎｌｙ  Ｍｅｍｏｒｙ）又は記憶装置（これらを「記録媒体」と称する）、上記プログラムを展開するＲＡＭ（Ｒａｎｄｏｍ  Ａｃｃｅｓｓ  Ｍｅｍｏｒｙ）などを備えている。そして、コンピュータ（又はＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１５５】
（まとめ）
本発明の態様１に係る表示装置１は、映像内に含まれている識別用画像を取得する取得部と、上記識別用画像を表示画面に表示する表示処理部１４と、を備え、上記表示画面に上記映像を全画面表示する場合の上記識別用画像の第１のサイズよりも小さい第２のサイズで上記識別用画像を表示する場合には、当該第２のサイズよりも拡大した識別用画像を上記表示画面に別途表示する。
【０１５６】
上記の構成によれば、識別することのできないような識別用画像が表示画面に表示される場合には、表示画面には更に拡大された識別用画像も表示されるため、何ら問題なく識別用画像の識別を行うことができる。
【０１５７】
また、本発明の態様２に係る表示装置１は、映像内に含まれている識別用画像を取得する取得部と、上記識別用画像を表示画面に表示する表示処理部１４と、を備え、上記表示画面に上記映像を全画面表示する場合の上記識別用画像の第１のサイズよりも小さい第２のサイズで上記識別用画像を表示する場合には、当該第１のサイズで上記識別用画像を上記表示画面に表示する。
【０１５８】
上記の構成によれば、表示画面には拡大された識別用画像が表示されるため、何ら問題なく識別用画像の識別を行うことができる。
【０１５９】
本発明の態様３に係る表示装置１は、表示画面に表示するための映像内に含まれている識別用画像を上記表示画面に表示する場合の上記識別用画像のサイズ又は上記識別用画像を構成する構成単位のサイズが、所定の大きさを下回らないように上記識別用画像を上記表示画面に表示する表示処理部１４を備える。
【０１６０】
上記の構成によれば、表示画面に表示する場合に小さく表示されてしまい、識別することができないような識別用画像は、識別可能な大きさに調整されて表示される。このため、本発明の一態様に係る表示装置１では、識別用画像が小さく表示されて識別できない事態を防ぐことができる。このように、本発明の一態様に係る表示装置１では、映像に含まれる識別用画像をそのまま表示すると、小さく表示されてしまうような場合であっても、何ら問題なく当該識別用画像の識別を行うことができる。
【０１６１】
また、本発明の態様４に係る表示装置１は、上記態様３において、上記表示処理部１４は、上記表示画面に表示するための上記映像内における上記識別用画像の位置に、上記所定の大きさを下回らないように上記識別用画像を表示する。
【０１６２】
上記の構成によれば、表示画面に表示するための映像内における識別用画像に重畳して、所定の大きさを下回らないように調整した識別用画像を表示することが可能である。
【０１６３】
また、本発明の態様５に係る表示装置１は、上記態様３において、上記表示処理部１４は、上記表示画面内における上記映像を表示する領域の外部に、上記所定の大きさを下回らないように上記識別用画像を表示する。
【０１６４】
上記の構成によれば、表示画面内における映像を表示する領域に重畳させないために、所定の大きさを下回らないように調整した識別用画像を表示することが可能である。
【０１６５】
また、本発明の態様６に係る表示装置１は、上記態様３から５の何れかの態様において、上記表示画面に表示するための上記映像内に含まれている上記識別用画像を検出する検出部１５をさらに備え、上記表示処理部１４は、上記検出部１５が検出した上記識別用画像が上記所定の大きさを下回らないように上記表示画面に表示してもよい。
【０１６６】
また、本発明の態様７に係る表示装置１は、上記態様６において、上記検出部１５は、上記映像を上記表示画面に表示する場合の上記映像のサイズが所定のサイズよりも小さい場合に、当該映像内に含まれている上記識別用画像を検出する。
【０１６７】
上記の構成によれば、二画面表示及び子画面表示等を行っているときには検出部１５による識別用画像の検出が行われるので、表示処理部１４により、検出部１５が検出した識別用画像を表示画面に表示する場合の識別用画像のサイズ又は識別用画像を構成する構成単位のサイズが、所定の大きさを下回らないように識別用画像が表示画面に表示される。このため、二画面表示及び子画面表示等を行っているときに識別用画像が縮小して表示されていても、問題なく識別用画像の識別ができる。
【０１６８】
また、本発明の態様８に係る表示装置１は、上記態様３から７の何れかの態様において、上記識別用画像は、二次元コードである。
【０１６９】
上記の構成によれば、映像に含まれるＱＲコード等をそのまま表示すると、小さく表示されてしまうような場合であっても、何ら問題なくＱＲコード等の識別を行うことができる。
【０１７０】
また、本発明の態様９に係る表示装置１は、表示画面４０に表示するための映像内に含まれる識別用画像（ＱＲコード５０）が有効でない場合に、上記識別用画像に埋め込まれた上記データを抽出できないようにするための識別不可能化画像を表示する表示処理部１４を備える。
【０１７１】
上記の構成によれば、映像内の識別用画像が有効でない場合には、識別用画像は識別不可能化画像によって識別不可能となる。そのため、ユーザが無効なＱＲコード５０の読み取りを行う事態を防ぐことができる。したがって、本発明の一態様によれば、映像に含まれる無効なＱＲコード５０によってユーザが混乱するのを防止できる。
【０１７２】
また、本発明の態様１０に係る表示装置１は、表示画面４０に表示するための映像内に含まれる識別用画像（ＱＲコード５０）が有効でない場合に、上記識別用画像が無効である旨を示すコーション５５を表示画面４０に表示する表示処理部１４を備える。
【０１７３】
上記の構成によれば、映像内の識別用画像が有効でない場合には、識別用画像が無効である旨のコーション５５が表示画面４０に表示される。そのため、ユーザは、表示画面上に表示されたコーション５５を見れば、当該識別用画像が無効であることが一目で分かる。したがって、本発明の一態様によれば、映像に含まれる無効な識別用画像によってユーザが混乱するのを防止できる。
【０１７４】
また、本発明の態様１１に係る表示装置１は、表示画面４０に表示するための映像内に含まれる識別用画像が有効でない場合に、上記識別用画像の代わりに代替の識別用画像を表示する表示処理部１４を備える。
【０１７５】
上記の構成によれば、映像内の識別用画像が有効でない場合には、識別用画像の代わりに代替の識別用画像が表示される。代替の識別用画像に、例えば識別用画像が無効である旨を示す代替のリンク先を示すリンク先情報等を埋め込んでおけば、ユーザは、代替の識別用画像を介して、当該識別用画像が無効であることを認識することができる。したがって、本発明に一態様によれば、映像に含まれる無効な識別用画像によってユーザが混乱するのを防止できる。
【０１７６】
また、本発明の態様１２に係る表示装置１は、上記態様９において、上記表示処理部１４は、上記識別不可能化画像を上記識別用画像の上に重畳した上記映像を表示してもよいし、上記識別用画像を上記識別不可能化画像に置き換えた上記映像を表示してもよい。
【０１７７】
また、本発明の態様１３に係る表示装置１は、上記態様９において、上記表示処理部１４は、上記代替の識別用画像を上記識別用画像の上に重畳した上記映像を表示してもよいし、上記識別用画像を上記代替の識別用画像に置き換えた上記映像を表示してもよい。
【０１７８】
また、本発明の態様１４に係る表示装置１は、上記態様９から１３の何れかの態様において、上記識別用画像は、特定のリンク先を示すリンク先情報を含んでおり、上記識別用画像に含まれる上記リンク先情報が示すリンク先にアクセスできない場合に、上記識別用画像が有効でないと判定する。
【０１７９】
上記の構成によれば、識別用画像に対応するリンク先にアクセス不可能なときにリンク切れと判定し、識別用画像が有効でないと判定することができる。
【０１８０】
また、本発明の態様１５に係る表示装置１は、上記態様９から１３の何れかの態様において、上記識別用画像は、特定のリンク先へのアクセス期限を示すアクセス情報を含んでおり、上記識別用画像が有効でないと判定すると、上記識別用画像が有効でないと判定する。
【０１８１】
上記の構成によれば、識別用画像に対応するリンク先へのアクセス期限が過ぎているときにリンク切れと判定し、識別用画像が有効でないと判定することができる。
【０１８２】
また、本発明の態様１６に係る表示装置１は、上記態様９から１３の何れかの態様において、上記表示画面４０に表示するための上記映像が録画された映像である場合に、上記識別用画像が有効でないと判定する。
【０１８３】
上記の構成によれば、表示画面４０に表示するための映像が録画された映像であるときに、識別用画像が有効でないと判定することができる。
【０１８４】
また、本発明の態様１７に係る表示装置１は、上記態様９から１３の何れかの態様において、上記識別用画像は、特定のリンク先を示すリンク先情報と、当該リンク先のコンテンツの内容に応じたパレンタル情報と、を含んでおり、上記識別用画像に含まれる上記パレンタル情報が、予めユーザに設定された閲覧条件を満たしていないと判定すると、上記識別用画像が有効でないと判定する。
【０１８５】
上記の構成によれば、識別用画像に対応するリンク先のコンテンツのパレンタル情報が、ユーザによって予め設定された閲覧条件を満たしていないときに、識別用画像が有効でないと判定する。識別用画像が有効でないと判定することができる。
【０１８６】
また、本発明の態様１８に係る表示装置１は、上記態様９から１７の何れかの態様において、上記表示画面４０に表示するための上記映像に上記識別用画像が含まれているか否かを検出する検出部１５と、上記識別用画像が有効であるか否かを判定する判定部１６と、を備えていてもよい。
【０１８７】
また、本発明の態様１９に係る表示装置１は、上記態様９から１８の何れかの態様において、上記識別用画像は、二次元コードである。
【０１８８】
上記の構成によれば、映像に含まれる無効なＱＲコードによってユーザが混乱するのを防止できる。
【０１８９】
また、各態様に係る表示装置１を備えるテレビジョン受像機も、本発明の範疇に入る。
【０１９０】
また、本発明の各態様に係る表示装置１は、コンピュータによって実現してもよく、この場合には、コンピュータを上記表示装置１として動作させることにより上記表示装置１をコンピュータにて実現させる表示装置１のプログラム、及びそれを記録したコンピュータ読み取り可能な記録媒体も、本発明の範疇に入る。
【０１９１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【０１９２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１９３】
１    表示装置
１１    制御部
１４    表示処理部
１５    検出部
１６    判定部
５０  ＱＲコード
５０ａ  識別用画像
５０ｂ  識別用画像
５０ｃ  識別用画像
５１  目隠し画像
５５  コーション
６０  代替のＱＲコード
【図１】
2017057196.tif 000003
【図２】
2017057196.tif 000004
【図３】
2017057196.tif 000005
【図４】
2017057196.tif 000006
【図５】
2017057196.tif 000007
【図６】
2017057196.tif 000008
【図７】
2017057196.tif 000009
【図８】
2017057196.tif 000010
【図９】
2017057196.tif 000011
【図１０】
2017057196.tif 000012
【図１１】
2017057196.tif 000013
【図１２】
2017057196.tif 000014
【図１３】
2017057196.tif 000015
【図１４】
2017057196.tif 000016
【図１５】
2017057196.tif 000017
【図１６】
2017057196.tif 000018
【図１７】
2017057196.tif 000019
【図１８】
2017057196.tif 000020
【手続補正書】
【提出日】平成30年2月8日(2018.2.8)
【手続補正１】
【補正対象書類名】特許請求の範囲
【補正対象項目名】全文
【補正方法】変更
【補正の内容】
【特許請求の範囲】
【請求項１】
映像内に含まれている識別用画像を取得する取得部と、
上記識別用画像を表示画面に表示する表示処理部と、
を備え、
上記表示画面に上記映像を全画面表示する場合の上記識別用画像の第１のサイズよりも小さい第２のサイズで上記識別用画像を表示する場合には、当該第２のサイズよりも拡大した識別用画像を上記表示画面に別途表示することを特徴とする表示装置。
【請求項２】
映像内に含まれている識別用画像を取得する取得部と、
上記識別用画像を表示画面に表示する表示処理部と、
を備え、
上記表示画面に上記映像を全画面表示する場合の上記識別用画像の第１のサイズよりも小さい第２のサイズで上記識別用画像を表示する場合には、当該第１のサイズで上記識別用画像を上記表示画面に表示することを特徴とする表示装置。
【請求項３】
映像と共に表示するための識別用画像を取得する取得部と、
上記識別用画像を表示画面に表示する表示処理部と、
を備え、
上記表示画面に上記映像を全画面表示する場合の上記識別用画像の第１のサイズよりも小さい第２のサイズで上記識別用画像を表示する場合には、当該第２のサイズよりも大きいサイズで識別用画像を上記表示画面に別途表示することを特徴とする表示装置。
【請求項４】
映像と共に表示するための識別用画像を取得する取得部と、
上記識別用画像を表示画面に表示する表示処理部と、
を備え、
上記表示画面に上記映像を全画面表示する場合の上記識別用画像の第１のサイズよりも小さい第２のサイズで上記識別用画像を表示する場合には、当該第１のサイズで上記識別用画像を上記表示画面に表示することを特徴とする表示装置。
【請求項５】
表示画面に表示するための映像内に含まれている識別用画像を上記表示画面に表示する場合の上記識別用画像のサイズ又は上記識別用画像を構成する構成単位のサイズが、所定の大きさを下回らないように上記識別用画像を上記表示画面に表示する表示処理部を備えることを特徴とする表示装置。
【請求項６】
上記表示処理部は、上記表示画面に表示するための上記映像内における上記識別用画像の位置に、上記所定の大きさを下回らないように上記識別用画像を表示することを特徴とする請求項５に記載の表示装置。
【請求項７】
上記表示処理部は、上記表示画面内における上記映像を表示する領域の外部に、上記所定の大きさを下回らないように上記識別用画像を表示することを特徴とする請求項５に記載の表示装置。
【請求項８】
上記表示画面に表示するための上記映像内に含まれている上記識別用画像を検出する検出部をさらに備え、
上記表示処理部は、上記検出部が検出した上記識別用画像が上記所定の大きさを下回らないように上記表示画面に表示することを特徴とする請求項５〜７のいずれか１項に記載の表示装置。
【請求項９】
上記検出部は、上記映像を上記表示画面に表示する場合の上記映像のサイズが所定のサイズよりも小さい場合に、当該映像内に含まれている上記識別用画像を検出することを特徴とする請求項８に記載の表示装置。
【請求項１０】
上記識別用画像は、ニ次元コードであることを特徴とする請求項５〜９のいずれか１項に記載の表示装置。
【請求項１１】
請求項５〜１０のいずれか１項に記載の表示装置を備えていることを特徴とするテレビジョン受像機。
【請求項１２】
請求項５〜１０のいずれか１項に記載の表示装置としてコンピュータを機能させるためのプログラム。
【請求項１３】
請求項１２に記載のプログラムを記録したコンピュータ読み取り可能な記録媒体。
【請求項１４】
表示画面に表示するための映像内に含まれた、データが埋め込まれた識別用画像が有効でない場合に、上記識別用画像に埋め込まれた上記データを抽出できないようにするための識別不可能化画像を表示する表示処理部を備えることを特徴とする表示装置。
【請求項１５】
表示画面に表示するための映像内に含まれた、データが埋め込まれた識別用画像が有効でない場合に、上記識別用画像が無効である旨を示すコーションを上記表示画面に表示する表示処理部を備えることを特徴とする表示装置。
【請求項１６】
表示画面に表示するための映像内に含まれた、データが埋め込まれた識別用画像が有効でない場合に、上記識別用画像の代わりに代替の識別用画像を表示する表示処理部を備えることを特徴とする表示装置。
【請求項１７】
上記表示処理部は、上記識別不可能化画像を上記識別用画像の上に重畳した上記映像を表示することを特徴とする請求項１４に記載の表示装置。
【請求項１８】
上記表示処理部は、上記識別用画像を上記識別不可能化画像に置き換えた上記映像を表示することを特徴とする請求項１４に記載の表示装置。
【請求項１９】
上記表示処理部は、上記代替の識別用画像を上記識別用画像の上に重畳した上記映像を表示することを特徴とする請求項１６に記載の表示装置。
【請求項２０】
上記表示処理部は、上記識別用画像を上記代替の識別用画像に置き換えた上記映像を表示することを特徴とする請求項１６に記載の表示装置。
【請求項２１】
上記識別用画像は、特定のリンク先を示すリンク先情報を含んでおり、
上記識別用画像に含まれる上記リンク先情報が示すリンク先にアクセスできない場合に、上記識別用画像が有効でないと判定することを特徴とする請求項１４〜２０の何れか１項に記載の表示装置。
【請求項２２】
上記識別用画像は、特定のリンク先へのアクセス期限を示すアクセス情報を含んでおり、
上記識別用画像に含まれる上記アクセス情報が示すアクセス期限を過ぎていると判定すると、上記識別用画像が有効でないと判定することを特徴とする請求項１４〜２０のいずれか１項に記載の表示装置。
【請求項２３】
上記表示画面に表示するための上記映像が録画された映像である場合に、上記識別用画像が有効でないと判定することを特徴とする請求項１４〜２０のいずれか１項に記載の表示装置。
【請求項２４】
上記識別用画像は、特定のリンク先を示すリンク先情報と、当該リンク先のコンテンツの内容に応じたパレンタル情報と、を含んでおり、
上記識別用画像に含まれる上記パレンタル情報が、予めユーザに設定された閲覧条件を満たしていない場合に、上記識別用画像が有効でないと判定することを特徴とする請求項１４〜２０のいずれか１項に記載の表示装置。
【請求項２５】
上記表示画面に表示するための上記映像に上記識別用画像が含まれているか否かを検出する検出部と、
上記識別用画像が有効であるか否かを判定する判定部と、を備えることを特徴とする請求項１４〜２４の何れか１項に記載の表示装置。
【請求項２６】
上記識別用画像は、ニ次元コードであることを特徴とする請求項１４〜２５の何れか１項に記載の表示装置。
【請求項２７】
請求項１４〜２６の何れか１項に記載の表示装置を備えていることを特徴とするテレビジョン受像機。
【請求項２８】
請求項１４〜２６の何れか１項に記載の表示装置としてコンピュータを機能させるためのプログラム。
【請求項２９】
請求項２８に記載のプログラムを記録したコンピュータ読み取り可能な記録媒体。
【国際調査報告】
2017057196.tif 000021
2017057196.tif 000022
2017057196.tif 000023
2017057196.tif 000024